(57)【特許請求の範囲】
【請求項１】
上下方向に積層された複数の絶縁体層と、前記複数の絶縁体層に設けられた第１〜第４のコイル導体と、前記複数の絶縁体層および前記第１〜第４のコイル導体からなる積層体とを備え、前記第１のコイル導体の少なくとも一部と前記第３のコイル導体の少なくとも一部を前記複数の絶縁体層のうち一部を介して対向させ、かつ前記第２のコイル導体の少なくとも一部と前記第４のコイル導体の少なくとも一部を前記複数の絶縁体層のうち一部を介して対向させ、さらに前記積層体の一端部から他端部に向かって順に、前記積層体の一側面に前記第１のコイル導体の一端部と接続された第１の外部電極、前記第２のコイル導体の一端部と接続された第２の外部電極、前記第３のコイル導体の一端部と接続された第３の外部電極、前記第４のコイル導体の一端部と接続された第４の外部電極をそれぞれ形成し、かつ前記積層体の他の側面に前記第１のコイル導体の他端部と接続された第５の外部電極、前記第２のコイル導体の他端部と接続された第６の外部電極、前記第３のコイル導体の他端部と接続された第７の外部電極、前記第４のコイル導体の他端部と接続された第８の外部電極をそれぞれ形成し、さらに、前記積層体の一側面、他の側面のいずれか一方に形成された外部電極のうちいずれか１つを入力端子に接続し、前記入力端子と接続された外部電極が形成された側面と異なる側面に形成された外部電極において互いに隣り合う２つの外部電極２組をそれぞれ第１の出力端子、第２の出力端子に接続した積層型バルントランス。
【請求項２】
第１のコイル導体および第３のコイル導体を、第２のコイル導体および第４のコイル導体の上方または下方に設けた請求項１記載の積層型バルントランス。
【請求項３】
第１〜第４のコイル導体のそれぞれの長さを略同一にした請求項１記載の積層型バルントランス。
【請求項４】
請求項１記載の積層型バルントランスの入力端子に不平衡信号ラインを接続し、かつ第１、第２の出力端子にそれぞれ平衡信号ラインを接続した電子機器。
【発明の詳細な説明】
【技術分野】
【０００１】
本発明は、デジタル機器やＡＶ機器、情報通信端末等の各種電子機器の平衡−不平衡信号変換等に使用される積層型バルントランスおよびこれを用いた電子機器に関するものである。
【背景技術】
【０００２】
従来のこの種の積層型バルントランスは、図５、図６に示すように、第１〜第８の絶縁体層１ａ〜１ｈと、第１の絶縁体層１ａの上面に設けられた引出電極２と、第２〜第５の絶縁体層１ｂ〜１ｅの上面にそれぞれ設けられた第１〜第４のコイル導体３〜６と、第６〜第８の絶縁体層１ｆ〜１ｈの上面にそれぞれ設けられた第１〜第３のグランド電極７ａ〜７ｃとを備えることにより、積層型バルントランス本体８を形成させ、そして前記第１のコイル導体３と第２のコイル導体４とを第２の絶縁体層１ｂを介して対向させ、かつ第３のコイル導体５と第４のコイル導体６とを第４の絶縁体層１ｄを介して対向させていた。
【０００３】
また、積層型バルントランス本体８の奥側には第１〜第４の外部電極９ａ〜９ｄが備えられ、かつ手前側には第５〜第８の外部電極９ｅ〜９ｈが備えられ、そして前記引出電極２の端部２ａは積層型バルントランス本体８の奥側の中央部右よりの第３の外部電極９ｃに接続し、第１のコイル導体３の端部３ａは積層型バルントランス本体８の手前側の右側の第８の外部電極９ｈに接続し、第２のコイル導体４の端部４ａは積層型バルントランス本体８の手前側の中央部右よりの第７の外部電極９ｇに接続し、第３のコイル導体５の端部５ａは積層型バルントランス本体８の手前側の中央部左よりの第６の外部電極９ｆに接続し、第４のコイル導体６の端部６ａは積層型バルントランス本体８の手前側の右側の第８の外部電極９ｈに接続していた。なお、第１のコイル導体３と第４のコイル導体６とは第８の外部電極９ｈを介して接続されている。
【０００４】
そして、この積層型バルントランスは、第３の外部電極９ｃに不平衡信号が流入したとき、第１のコイル導体３と第２のコイル導体４とが磁気結合し、かつ第３のコイル導体５と第４のコイル導体６とが磁気結合することによって、不平衡信号を平衡信号に変換していた。また、この平衡信号は第６の外部電極９ｆと、第７の外部電極９ｇから流出していた。
【０００５】
なお、この出願の発明に関する先行技術文献情報としては、例えば、特許文献１が知られている。
【特許文献１】特開２０００−５８３２８号公報
【発明の開示】
【発明が解決しようとする課題】
【０００６】
上記した従来の積層型バルントランスにおいては、実装時に方向性を確認する必要があるという課題を有していた。
【０００７】
すなわち、８個ある外部電極９ａ〜９ｈのうち、不平衡信号や平衡信号が流入、流出する外部電極は３個しかなく、しかもそのうち積層型バルントランス本体８の奥側にある外部電極は１個だけであるため、１８０°回転した状態となった場合や、上下が逆になった場合に実装されると、積層型バルントランスとして動作できないものであり、したがって、実装時に方向性を確認する必要があるという課題を有していた。
【０００８】
本発明は上記従来の課題を解決するもので、実装時に方向性を確認する必要がない積層型バルントランスおよびこれを用いた電子機器を提供することを目的とするものである。
【課題を解決するための手段】
【０００９】
上記目的を達成するために本発明は、以下の構成を有するものである。
【００１０】
本発明の請求項１に記載の発明は、上下方向に積層された複数の絶縁体層と、前記複数の絶縁体層に設けられた第１〜第４のコイル導体と、前記複数の絶縁体層および前記第１〜第４のコイル導体からなる積層体とを備え、前記第１のコイル導体の少なくとも一部と前記第３のコイル導体の少なくとも一部を前記複数の絶縁体層のうち一部を介して対向させ、かつ前記第２のコイル導体の少なくとも一部と前記第４のコイル導体の少なくとも一部を前記複数の絶縁体層のうち一部を介して対向させ、さらに前記積層体の一端部から他端部に向かって順に、前記積層体の一側面に前記第１のコイル導体の一端部と接続された第１の外部電極、前記第２のコイル導体の一端部と接続された第２の外部電極、前記第３のコイル導体の一端部と接続された第３の外部電極、前記第４のコイル導体の一端部と接続された第４の外部電極をそれぞれ形成し、かつ前記積層体の他の側面に前記第１のコイル導体の他端部と接続された第５の外部電極、前記第２のコイル導体の他端部と接続された第６の外部電極、前記第３のコイル導体の他端部と接続された第７の外部電極、前記第４のコイル導体の他端部と接続された第８の外部電極をそれぞれ形成し、さらに、前記積層体の一側面、他の側面のいずれか一方に形成された外部電極のうちいずれか１つを入力端子に接続し、前記入力端子と接続された外部電極が形成された側面と異なる側面に形成された外部電極において互いに隣り合う２つの外部電極２組をそれぞれ第１の出力端子、第２の出力端子に接続したもので、この構成によれば、積層体の一側面に露出した第１〜第４のコイル導体の一端部に第１〜第４の外部電極を接続するとともに、積層体の他の側面に露出した第１〜第４のコイル導体の他端部に第５〜第８の外部電極を接続しているため、すべての第１〜第８の外部電極のうち、半分を積層体の一側面に、もう半分を積層体の他の側面に形成することができ、さらに、すべての外部電極に不平衡信号や平衡信号を流入、流出させることができるため、実装時に方向性を確認する必要がない積層型バルントランスを提供することができるという作用効果が得られるものである。
【００１１】
本発明の請求項２に記載の発明は、特に、第１のコイル導体および第３のコイル導体を、第２のコイル導体および第４のコイル導体の上方または下方に設けたもので、この構成によれば、第１のコイル導体および第３のコイル導体と、第２のコイル導体および第４のコイル導体とを同一面に設けずに済むため、実装面積を小さくすることができるという作用効果が得られるものである。
【００１２】
本発明の請求項３に記載の発明は、特に、第１〜第４のコイル導体のそれぞれの長さを略同一にしたもので、この構成によれば、各コイル導体のインダクタンスや抵抗値を同一にすることができるため、実装時の方向を変えても同一の出力信号が得られるという作用効果が得られるものである。
【００１３】
本発明の請求項４に記載の発明は、請求項１記載の積層型バルントランスの入力端子に不平衡信号ラインを接続し、かつ第１、第２の出力端子にそれぞれ平衡信号ラインを接続したもので、この構成によれば、実装時に方向性を確認する必要がない積層バルントランスを用いているため、実装が容易な電子機器を得ることができるという作用効果が得られるものである。
【発明の効果】
【００１４】
以上のように本発明の積層型バルントランスは、前記第１のコイル導体の少なくとも一部と前記第３のコイル導体の少なくとも一部を前記複数の絶縁体層のうち一部を介して対向させ、かつ前記第２のコイル導体の少なくとも一部と前記第４のコイル導体の少なくとも一部を前記複数の絶縁体層のうち一部を介して対向させ、さらに前記積層体の一端部から他端部に向かって順に、前記積層体の一側面に前記第１のコイル導体の一端部と接続された第１の外部電極、前記第２のコイル導体の一端部と接続された第２の外部電極、前記第３のコイル導体の一端部と接続された第３の外部電極、前記第４のコイル導体の一端部と接続された第４の外部電極をそれぞれ形成し、かつ前記積層体の他の側面に前記第１のコイル導体の他端部と接続された第５の外部電極、前記第２のコイル導体の他端部と接続された第６の外部電極、前記第３のコイル導体の他端部と接続された第７の外部電極、前記第４のコイル導体の他端部と接続された第８の外部電極をそれぞれ形成し、さらに、前記積層体の一側面、他の側面のいずれか一方に形成された外部電極のうちいずれか１つを入力端子に接続し、前記入力端子と接続された外部電極が形成された側面と異なる側面に形成された外部電極において互いに隣り合う２つの外部電極２組をそれぞれ第１の出力端子、第２の出力端子に接続しているため、積層体の一側面に露出した第１〜第４のコイル導体の一端部に第１〜第４の外部電極を接続するとともに、積層体の他の側面に露出した第１〜第４のコイル導体の他端部に第５〜第８の外部電極を接続することによって、すべての第１〜第８の外部電極のうち、半分を積層体の一側面に、もう半分を積層体の他の側面に形成することができ、さらに、すべての外部電極に不平衡信号や平衡信号を流入、流出させることができるため、実装時に方向性を確認する必要がない積層型バルントランスを提供することができるという優れた効果を奏するものである。
【発明を実施するための最良の形態】
【００１５】
図１は本発明の一実施の形態における積層型バルントランスの分解斜視図、図２は同積層型バルントランスの斜視図である。
【００１６】
本発明の一実施の形態における積層型バルントランスは、図１、図２に示すように、上下方向に積層された第１〜第４の絶縁体層１１ａ〜１１ｄと、前記第１〜第４の絶縁体層１１ａ〜１１ｄに設けられた第１〜第４のコイル導体１２〜１５と、前記第１〜第４の絶縁体層１１ａ〜１１ｄおよび第１〜第４のコイル導体１２〜１５からなる積層体１６とを備え、前記第１のコイル導体１２の少なくとも一部と前記第３のコイル導体１４の少なくとも一部を前記第２の絶縁体層１１ｂを介して対向させ、かつ前記第２のコイル導体１３の少なくとも一部と前記第４のコイル導体１５の少なくとも一部を前記第２の絶縁体層１１ｂを介して対向させている。
【００１７】
さらに、前記積層体１６の一端部から他端部に向かって順に、前記積層体１６の一側面に前記第１のコイル導体１２の一端部１２ａ、前記第２のコイル導体１３の一端部１３ａ、前記第３のコイル導体１４の一端部１４ａ、前記第４のコイル導体１５の一端部１５ａを露出させ、かつ前記積層体１６の他の側面に前記第１のコイル導体１２の他端部１２ｂ、前記第２のコイル導体１３の他端部１３ｂ、前記第３のコイル導体１４の他端部１４ｂ、前記第４のコイル導体１５の他端部１５ｂを露出させている。
【００１８】
上記構成において、前記第１〜第４の絶縁体層１１ａ〜１１ｄは、上下方向に積層され、上から第１の絶縁体層１１ａ、第２の絶縁体層１１ｂ、第３の絶縁体層１１ｃ、第４の絶縁体層１１ｄの順に形成されている。また、この第１〜第４の絶縁体層１１ａ〜１１ｄはＦｅ2Ｏ3をベースとしたフェライトなどの磁性材料または誘電材料により構成されている。
【００１９】
前記第１のコイル導体１２は、第２の絶縁体層１１ｂの上面に渦巻き状に銀などの導電材料をめっきすることにより形成された第１のコイル１７と、第１の絶縁体層１１ａの上面に銀などの導電材料をめっきすることにより形成された第１の引出電極１８とにより構成されている。そして、前記第１のコイル１７と第１の引出電極１８とは、第１の絶縁体層１１ａに形成されたバイア電極１９によって接続されている。また、第１のコイル導体１２の一端部１２ａ、すなわち第１の引出電極１８の端部は第１の絶縁体層１１ａの一側面に露出し、かつ第１のコイル導体１２の他端部１２ｂ、すなわち第１のコイル１７の端部は第２の絶縁体層１１ｂの他の側面に露出している。
【００２０】
前記第２のコイル導体１３は、第２の絶縁体層１１ｂの上面に渦巻き状に銀などの導電材料をめっきすることにより形成された第２のコイル２０と、第１の絶縁体層１１ａの上面に銀などの導電材料をめっきすることにより形成された第２の引出電極２１とにより構成されている。そして、前記第２のコイル２０と第２の引出電極２１とは、第１の絶縁体層１１ａに形成されたバイア電極２２によって接続されている。また、第２のコイル導体１３の一端部１３ａ、すなわち第２の引出電極２１の端部は第１の絶縁体層１１ａの一側面に露出し、かつ第２のコイル導体１３の他端部１３ｂ、すなわち第２のコイル２０の端部は第２の絶縁体層１１ｂの他の側面に露出している。
【００２１】
前記第３のコイル導体１４は、第３の絶縁体層１１ｃの上面に渦巻き状に銀などの導電材料をめっきすることにより形成された第３のコイル２３と、第４の絶縁体層１１ｄの上面に銀などの導電材料をめっきすることにより形成された第３の引出電極２４とにより構成されている。そして、前記第３のコイル２３と第３の引出電極２４とは、第３の絶縁体層１１ｃに形成されたバイア電極２５によって接続されている。また、第３のコイル導体１４の一端部１４ａ、すなわち第３の引出電極２４の端部は第４の絶縁体層１１ｄの一側面に露出し、第３のコイル導体１４の他端部１４ｂ、すなわち第３のコイル２３の端部は第３の絶縁体層１１ｃの他の側面に露出している。
【００２２】
そして、前記第１のコイル１７と第３のコイル２３とは対向しているため、それぞれに同方向の信号が入力した場合、第１のコイル導体１２と第３のコイル導体１４とは互いに磁気結合するものである。
【００２３】
前記第４のコイル導体１５は、第３の絶縁体層１１ｃの上面に渦巻き状に銀などの導電材料をめっきすることにより形成された第４のコイル２６と、第４の絶縁体層１１ｄの上面に銀などの導電材料をめっきすることにより形成された第４の引出電極２７とにより構成されている。そして、前記第４のコイル２６と第４の引出電極２７とは、第３の絶縁体層１１ｃに形成されたバイア電極２８によって接続されている。また、第４のコイル導体１５の一端部１５ａ、すなわち第４の引出電極２７の端部は第４の絶縁体層１１ｄの一側面に露出し、第４のコイル導体１５の他端部１５ｂ、すなわち第４のコイル２６の端部は第３の絶縁体層１１ｃの他の側面に露出している。
【００２４】
そして、前記第２のコイル２０と第４のコイル２６とは対向しているため、それぞれ同方向の信号が入力した場合、第２のコイル導体１３と第４のコイル導体１５とは互いに磁気結合するものである。
【００２５】
なお、上記本発明の一実施の形態においては、第１のコイル導体１２と第２のコイル導体１３とを第２の絶縁体層１１ｂの同一面に形成するとともに、第３のコイル導体１４と第４のコイル導体１５とを第３の絶縁体層１１ｃの同一面に形成しているが、必ずしもこのようにする必要はなく、これ以外に、例えば、前記第１のコイル導体１２および第３のコイル導体１４を、第２のコイル導体１３および第４のコイル導体１５の上方または下方に形成してもよく、このような構成にすれば、実装面積を小さくすることができるものである。
【００２６】
また、前記第１〜第４のコイル導体１２〜１５のそれぞれの長さを略同一にすれば、各コイル導体１２〜１５のインダクタンスや抵抗値を同一にすることができるため、実装時の方向を変えても同一の出力信号が得られるものである。なお、第１〜第４のコイル導体１２〜１５のそれぞれの長さは、出力信号のばらつきとしてユーザが許容できる範囲内にあればよい。
【００２７】
ここで、前記第１〜第４のコイル１７，２０，２３，２６の形状は、渦巻き状に限定されるものではなく、螺旋状、蛇行状等の他の形状であっても構わない。また、前記第１〜第４のコイル１７，２０，２３，２６および第１〜第４の引出電極１８，２１，２４，２７は、めっきで形成するのではなく、その他の印刷や蒸着等の方法で形成してもよい。
【００２８】
そしてまた、前記第１の絶縁体層１１ａの上部にはダミー絶縁体層２９が形成されているもので、このダミー絶縁体層２９の枚数および前記第１〜第４の絶縁体層１１ａ〜１１ｄの枚数は、図１に示された枚数に限定されるものではない。
【００２９】
そして、上記した構成部品により、図２に示すような積層体１６が形成され、かつこの積層体１６の一端部から他端部に向かって順に、積層体１６の一側面に第１の外部電極３１、第２の外部電極３２、第３の外部電極３３、第４の外部電極３４が形成され、さらに、この積層体１６の一端部から他端部に向かって順に、積層体１６の他の側面に第５の外部電極３５、第６の外部電極３６、第７の外部電極３７、第８の外部電極３８が形成されている。
【００３０】
このとき、第１の外部電極３１は第１のコイル導体１２の一端部１２ａと接続され、そしてこれと同様に、第２の外部電極３２は第２のコイル導体１３の一端部１３ａと、第３の外部電極３３は第３のコイル導体１４の一端部１４ａと、第４の外部電極３４は第４のコイル導体１５の一端部１５ａと、第５の外部電極３５は第１のコイル導体１２の他端部１２ｂと、第６の外部電極３６は第２のコイル導体１３の他端部１３ｂと、第７の外部電極３７は第３のコイル導体１４の他端部１４ｂと、第８の外部電極３８は第４のコイル導体１５の他端部１５ｂとそれぞれ接続されるものである。
【００３１】
なお、前記第１〜第８の外部電極３１〜３８は、銀を印刷することによって形成されているもので、その表面には、ニッケルめっき層、すずめっき層が施されている。
【００３２】
次に、本発明の一実施の形態における積層型バルントランスの製造方法について説明する。
【００３３】
図１、図２において、まず、それぞれの原材料である磁性材料や誘電材料の粉体および樹脂からなる混合物により、方形の第１〜第４の絶縁体層１１ａ〜１１ｄ、ダミー絶縁体層２９をそれぞれ所定枚数作製する。このとき、第１、第３の絶縁体層１１ａ，１１ｃの所定箇所に、レーザ、パンチングなどで孔あけ加工をし、この孔に銀を充填して、バイア電極１９，２２，２５，２８を形成する。
【００３４】
次に、第４の絶縁体層１１ｄの上面に第３、第４の引出電極２４，２７をめっきによって形成する。
【００３５】
次に、第３、第４の引出電極２４，２７の上面に、バイア電極２５，２８が設けられた第３の絶縁体層１１ｃを配置する。このとき、第３の引出電極２４とバイア電極２５とを接続するとともに、第４の引出電極２７とバイア電極２８とを接続する。
【００３６】
次に、第３の絶縁体層１１ｃの上面に、第３、第４のコイル２３，２６をめっきによって形成する。このとき、第３のコイル２３とバイア電極２５とを接続して、第３のコイル２３と第３の引出電極２４とを接続し、第３のコイル導体１４を形成する。また、これと同様に、第４のコイル２６とバイア電極２８とを接続して、第４のコイル２６と第４の引出電極２７とを接続し、第４のコイル導体１５を形成する。
【００３７】
次に、第３、第４のコイル２３，２６の上面に、第２の絶縁体層１１ｂを配置する。その後、その上面に第１、第２のコイル１７，２０をめっきによって形成する。このとき、第１のコイル１７と第３のコイル２３とを対向させるとともに、第２のコイル２０と第４のコイル２６とを対向させる。
【００３８】
次に、第１、第２のコイル１７，２０の上面に、バイア電極１９，２２が設けられた第１の絶縁体層１１ａを配置する。このとき、第１のコイル１７とバイア電極１９とを接続するとともに、第２のコイル２０とバイア電極２２とを接続する。
【００３９】
次に、第１の絶縁体層１１ａの上面に、第１、第２の引出電極１８，２１をめっきによって形成する。このとき、第１の引出電極１８とバイア電極１９とを接続して、第１のコイル１７と第１の引出電極１８とを接続し、第１のコイル導体１２を形成する。また、これと同様に、第２の引出電極２１とバイア電極２２とを接続して、第２のコイル２０と第２の引出電極２１とを接続し、第２のコイル導体１３を形成する。
【００４０】
なお、前記第１〜第４のコイル１７，２０，２３，２６および第１〜第４の引出電極１８，２１，２４，２７の形成方法は、別途用意したベース板（図示せず）に所定パターン形状の導体をめっきによって形成し、その後、この導体を各絶縁体層に転写することにより形成する。
【００４１】
次に、第１、第２の引出電極１８，２１の上面に、所定枚数のダミー絶縁体層２９を配置して、積層体１６を形成する。
【００４２】
次に、積層体１６を所定の温度、時間で焼成する。
【００４３】
次に、積層体１６の両側面に、銀を印刷することにより第１〜第８の外部電極３１〜３８を形成する。
【００４４】
このとき、積層体１６の一端部から他端部に向かって順に、積層体１６の一側面に第１の外部電極３１、第２の外部電極３２、第３の外部電極３３、第４の外部電極３４を形成する。さらに、この積層体１６の一端部から他端部に向かって順に、積層体１６の他の側面に第５の外部電極３５、第６の外部電極３６、第７の外部電極３７、第８の外部電極３８を形成する。
【００４５】
これにより、第１のコイル導体１２の一端部１２ａと第１の外部電極３１とが接続され、そしてこれと同様に、第２のコイル導体１３の一端部１３ａと第２の外部電極３２、第３のコイル導体１４の一端部１４ａと第３の外部電極３３、第４のコイル導体１５の一端部１５ａと第４の外部電極３４、第１のコイル導体１２の他端部１２ｂと第５の外部電極３５、第２のコイル導体１３の他端部１３ｂと第６の外部電極３６、第３のコイル導体１４の他端部１４ｂと第７の外部電極３７、第４のコイル導体１５の他端部１５ｂと第８の外部電極３８とがそれぞれ接続されるものである。
【００４６】
最後に、前記第１〜第８の外部電極３１〜３８の表面に、めっきによってニッケルめっき層、すずめっき層を形成する。
【００４７】
図３は上記本発明の一実施の形態における積層型バルントランスの等価回路図を示したものである。
【００４８】
図４（ａ）は上記本発明の一実施の形態における積層型バルントランスを使用する場合の一例を示したものである。
【００４９】
図４（ａ）において、入力端子４１を第１の外部電極３１に接続し、第５、第６の外部電極３５，３６を第１の出力端子４２ａに接続し、さらに第７、第８の外部電極３７，３８を第２の出力端子４２ｂに接続している。また、第２〜第４の外部電極３２〜３４はグランドに接続している。ここで、第５、第６の外部電極３５，３６のペアを第１の出力端子４２ａに接続し、かつ第７、第８の外部電極３７，３８のペアを第２の出力端子４２ｂに接続することにより、バルントランスとして成立させている。
【００５０】
このような構成とすることによって、不平衡信号が入力端子４１から第１の外部電極３１を介して入ってきたとき、第１のコイル導体１２を通り第５の外部電極３５を介して第１の出力端子４２ａに流出する信号と、第１のコイル導体１２と第３のコイル導体１４とが磁気結合して第７の外部電極３７を介して第２の出力端子４２ｂに流出する信号の２つの信号からなる平衡信号に変換されるものである。
【００５１】
図４（ｂ）は上記した図４（ａ）の状態の積層型バルントランスを１８０°回転させた状態を示す図である。
【００５２】
この場合、入力端子４１から入ってきた不平衡信号は、第８の外部電極３８を通り、第４のコイル導体１５、第４の外部電極３４を介して第１の出力端子４２ａに流出する信号と、第４のコイル導体１５と第２のコイル導体１３とが磁気結合して第２の外部電極３２を介して第２の出力端子４２ｂに流出する信号の２つの信号からなる平衡信号に変換されたものである。
【００５３】
図４（ｃ）は上記した図４（ａ）の状態の積層型バルントランスを上下逆にした状態を示す図である。
【００５４】
この場合も、入力端子４１から入ってきた不平衡信号は、第５の外部電極３５を通り、第１のコイル導体１２、第１の外部電極３１を介して第１の出力端子４２ａに流出する信号と、第１のコイル導体１２と第２のコイル導体１３とが磁気結合して第２の外部電極３２を介して第２の出力端子４２ｂに流出する信号の２つの信号からなる平衡信号に変換されるものである。
【００５５】
上述したように、本発明の一実施の形態における積層型バルントランスは、１８０°回転した状態となった場合や、上下が逆になった場合に実装されても、バルントランスとして動作させることができるものである。
【００５６】
また、図４（ａ）においては、第１の外部電極３１に入力端子４１を接続したが、この入力端子４１は他の第２〜第４の外部電極３２〜３４のいずれかに接続してもよく、この場合も、図４（ｂ）、（ｃ）のように１８０°回転した状態となった場合や、上下が逆になった場合に実装されても、同様にバルントランスとして動作させることができるものである。
【００５７】
そしてまた、前記第１の外部電極３１だけでなく第４の外部電極３４にも不平衡信号を入力させるようにしてもよく、さらには第１の外部電極３１と第４の外部電極３４とに平衡信号を出力させ、第５、第６の外部電極３５，３６と、第７、第８の外部電極３７，３８とに不平衡信号を入力させるようにしてもよいものである。
【００５８】
上記した本発明の一実施の形態においては、第１のコイル導体１２の少なくとも一部（第１のコイル１７）と第３のコイル導体１４の少なくとも一部（第３のコイル２３）を第２の絶縁体層１１ｂを介して対向させ、かつ第２のコイル導体１３の少なくとも一部（第２のコイル２０）と第４のコイル導体１５の少なくとも一部（第４のコイル２６）を第２の絶縁体層１１ｂを介して対向させ、さらに積層体１６の一端部から他端部に向かって順に、前記積層体１６の一側面に前記第１のコイル導体１２の一端部１２ａ、前記第２のコイル導体１３の一端部１３ａ、前記第３のコイル導体１４の一端部１４ａ、前記第４のコイル導体１５の一端部１５ａを露出させ、前記積層体１６の他の側面に前記第１のコイル導体１２の他端部１２ｂ、前記第２のコイル導体１３の他端部１３ｂ、前記第３のコイル導体１４の他端部１４ｂ、前記第４のコイル導体１５の他端部１５ｂを露出させているため、この露出した第１〜第４のコイル導体１２，１３，１４，１５の一端部１２ａ，１３ａ，１４ａ，１５ａに４つの外部電極３１，３２，３３，３４を接続するとともに、第１〜第４のコイル導体１２，１３，１４，１５の他端部１２ｂ，１３ｂ，１４ｂ，１５ｂに４つの外部電極３５，３６，３７，３８を接続すれば、８つの外部電極３１〜３８のうち、半分３１，３２，３３，３４を積層体１６の一側面に、もう半分３５，３６，３７，３８を積層体１６の他の側面に形成することができ、さらに、すべての外部電極に不平衡信号や平衡信号を流入、流出させることができるため、実装時に方向性を確認する必要がない積層型バルントランスを提供することができるという効果が得られるものである。
【００５９】
すなわち、外部電極３１〜３８の結線が左右、上下対称で、無極性となる。
【００６０】
また、上記した本発明の一実施の形態における積層型バルントランスを、アンテナや携帯機器等の電子機器の平衡−不平衡信号変換に用いるようにすれば、実装時に方向性を確認する必要がない積層バルントランスを用いることができるため、実装が容易な電子機器を得ることができるという効果が得られるものである。
【００６１】
この場合は、例えば、第１〜第４のコイル導体１２，１３，１４，１５の一端部１２ａ，１３ａ，１４ａ，１５ａのうちいずれか１つに不平衡信号ラインを接続し、かつ第１、第２のコイル導体１２，１３の他端部１２ｂ，１３ｂと第３、第４のコイル導体１４，１５の他端部１４ｂ，１５ｂにそれぞれ平衡信号ラインを接続すればよい。
【産業上の利用可能性】
【００６２】
本発明に係る積層型バルントランスは、実装時に方向性を確認する必要がないという効果を有するものであり、デジタル機器やＡＶ機器、情報通信端末等の各種電子機器の平衡−不平衡信号変換等に使用される積層型バルントランス等において有用となるものである。
【図面の簡単な説明】
【００６３】
【図１】本発明の一実施の形態における積層型バルントランスの分解斜視図
【図２】同積層型バルントランスの斜視図
【図３】同積層型バルントランスの等価回路図
【図４】（ａ）同積層型バルントランスを使用する場合の一例を示す図、（ｂ）（ａ）の状態の積層型バルントランスを１８０°回転させた状態を示す図、（ｃ）（ａ）の状態の積層型バルントランスを上下逆にした状態を示す図
【図５】従来の積層型バルントランスの分解斜視図
【図６】同積層型バルントランスの斜視図
【符号の説明】
【００６４】
１１ａ〜１１ｄ  第１〜第４の絶縁体層
１２  第１のコイル導体
１３  第２のコイル導体
１４  第３のコイル導体
１５  第４のコイル導体
１６  積層体
【図１】
0004736808.tif 000002
【図２】
0004736808.tif 000003
【図３】
0004736808.tif 000004
【図４】
0004736808.tif 000005
【図５】
0004736808.tif 000006
【図６】
0004736808.tif 000007